(57)【要約】【課題】  使用時に、首に掛けたホルダー本体が人体に対して揺れたり、ループ状掛け紐が捩れたりすることのない、使用性、及び取り扱いの容易性が改良された首掛け式ネームカードホルダーを提供する。【解決手段】  ループ状掛け紐４にネームカードホルダー本体２を結合し、ホルダー本体２の一部に、衣服などの一部に係脱自在としたクリップ具３を設け、ホルダー本体２は、略矩形状をなし、内部が透視し得る偏平で二重の熱可塑性合成樹脂シート材の周縁部を溶着した構造とされ、その溶着周縁部２ａの下縁部に略凸状に取付部２ｂを一体に突出して形成し、該取付部２ｂに、バネ弾性により開閉自在の構造のクリップ具３を、取付軸５を介して回動自在に設けた。【選択図】      図１
0003116524.tif 000002
【実用新案登録請求の範囲】
【請求項１】
ループ状掛け紐にネームカードホルダー本体を結合した首掛け式ネームカードホルダーにおいて、
前記ホルダー本体の一部に、衣服などの一部に係脱自在とした係止具を設けたことを特徴とする首掛け式ネームカードホルダー。
【請求項２】
ループ状掛け紐にネームカードホルダー本体を結合し、該ホルダー本体の一部に、衣服などの一部に係脱自在としたクリップ具を設けた首掛け式ネームカードホルダーにおいて、
前記ホルダー本体は、略矩形状をなし、内部が透視し得る偏平で二重の熱可塑性合成樹脂シート材の周縁部を溶着した構造とされ、その溶着周縁部の下縁部に略凸状に取付部を一体に突出して形成し、該取付部に、バネ弾性により開閉自在の構造のクリップ具を、取付軸を介して回動自在に設けたことを特徴とする首掛け式ネームカードホルダー。
【請求項３】
前記クリップ具は、基部と基部の先端に回動自在に設けたクリップ部とよりなり、クリップ部を基部に対し略直角方向に回動させることにより、クリップ部を形成する上下一対のクリップ片部が開き又は閉じるようにしたことを特徴とする請求項２に記載の首掛け式ネームカードホルダー。
【請求項４】
前記クリップ具は、基部と基部の先端に回動自在に設けたクリップ部とよりなり、
前記クリップ部は、略クロス状中間片部の前端に一体に連続形成された上下一対のクリップ片部と、中間片部の後端に一体に連続形成されて略半円形状若しくは略楕円形状などのループ状に連結された後片部とよりなり、
前記基部は、左右アーム部間に形成したカム板片部と該アーム部の後部に形成した取付片部とよりなり、
前記基部のカム板片部を前記クリップ部の後片部内に回動自在に挿入してクリップ部と基部を連結し、クリップ部を基部に対し略直角方向に回動させた時に、基部のカム板片部がクリップ部の後片部を自然状態とし又は押し広げることにより、クリップ部を形成する上下一対のクリップ片部が開き又は閉じるようにしたことを特徴とする請求項２又は３に記載の首掛け式ネームカードホルダー。
【請求項５】
ループ状掛け紐にネームカードホルダー本体を結合し、該ホルダー本体の一部に、衣服などの一部に係脱自在としたクリップ具を設けた首掛け式ネームカードホルダーにおいて、
前記ホルダー本体は、略矩形状をなし、内部が透視し得る偏平で二重の熱可塑性合成樹脂シート材の周縁部を溶着した構造とされ、その溶着周縁部の一部に取付紐の類よりなる可撓性のある取付長体を設け、該取付長体の先端部に前記クリップ具を設けたことを特徴とする首掛け式ネームカードホルダー。
【考案の詳細な説明】
【技術分野】
【０００１】
本考案は、ループ状掛け紐（ネックストラップ）に透明なネームカードホルダー本体（名札部）を結合し、該ホルダー本体に氏名や職名等を表示したカードを挿入して首から下げる首掛け式ネームカードホルダーに関するものである。
【背景技術】
【０００２】
このような首掛け式ネームカードホルダーは、首に掛けたホルダー本体が揺れて名前などが見にくい。また、ループ状掛け紐が捩れてホルダー本体が裏返しになり名前などが判らないなどの不便がある。特に、商店などで接客時に用いた時には、顧客から上記のような苦情が多い。
【考案の開示】
【考案が解決しようとする課題】
【０００３】
本考案は以上の課題を解決するものであり、その目的とするところは、使用時に、首に掛けたホルダー本体（名札部）が人体に対して揺れたり、ループ状掛け紐（ネックストラップ）が捩れたりすることのない、使用性、及び取り扱いの容易性が改良されたこの種首掛け式ネームカードホルダーを提供するものである。
【課題を解決するための手段】
【０００４】
上記の課題を解決するために、本考案では、ループ状掛け紐（ネックストラップ）にネームカードホルダー本体（名札部）を結合した首掛け式ネームカードホルダーにおいて、前記ホルダー本体の一部に、衣服などの一部に係脱自在とした係止具を設けたことを特徴としている。
【０００５】
上記本考案において、上記係止具は、後述するクリップ具の他、安全ピン状の係止具、ゼムクリップ状の係止具を用いることができる。
【０００６】
上記の構成によれば、使用中、係止具を衣服などの一部に係止させることにより、ホルダー本体（名札部）が人体に対して揺れたり、ループ状掛け紐（ネックストラップ）が捩れて名前などが判らないという不具合がない。
【０００７】
また、本考案では、図１乃至図５の第１の実施の形態に示すように、ループ状掛け紐４にネームカードホルダー本体２を結合し、該ホルダー本体２の一部に、衣服などの一部に係脱自在としたクリップ具３を設けた首掛け式ネームカードホルダー１において、前記ホルダー本体２は、略矩形状をなし、内部が透視し得る偏平で二重の熱可塑性合成樹脂シート材の周縁部を溶着した構造とされ、その溶着周縁部２ａの下縁部に略凸状に取付部２ｂを一体に突出して形成し、該取付部２ｂに、バネ弾性により開閉自在の構造のクリップ具３を、取付軸５を介して回動自在に設けたことを特徴としている。
【０００８】
上記本考案において、上記クリップ具３は、後述する構成のクリップ具の他、手で操作片を操作して開閉させる、例えば洗濯ばさみ式のクリップ具を用いることができる。
【０００９】
上記の構成によれば、クリップ具３を、ホルダー本体２の溶着周縁部２ａの下縁部に略凸状に突出して形成した取付部２ｂに、回動自在に設けたので、衣服などへの係止固定操作が容易となる。
【００１０】
前記クリップ具３は、基部６と基部の先端に回動自在に設けたクリップ部７とよりなり、クリップ部７を基部６に対し略直角方向に回動させることにより、クリップ部７を形成する上下一対のクリップ片部７ａ，７ａが開き又は閉じるようにして弾性的に係脱する構成とすることができる。
【００１１】
また、前記クリップ具３は、基部６と基部の先端に回動自在に設けたクリップ部７とよりなる。前記クリップ部７は、略クロス状中間片部７ｂの前端に一体に連続形成された上下一対のクリップ片部７ａと、中間片部７ｂの後端に一体に連続形成されて略半円形状若しくは略楕円形状などのループ状に連結された後片部７ｃとよりなる。前記基部６は、左右アーム部６ａ間に形成したカム板片部６ｂと該アーム部の後部に形成した取付片部６ｃとよりなる。前記基部６のカム板片部６ｂを前記クリップ部７の後片部７ｃ内に回動自在に挿入してクリップ部７と基部６を連結し、クリップ部７を基部６に対し略直角方向に回動させた時に、基部６のカム板片部６ｂがクリップ部７の後片部７ｃを押し広げ又は自然状態に復することにより、クリップ部７を形成する上下一対のクリップ片部７ａが開き又は閉じるようにしている。
【００１２】
上記クリップ具３の構成によれば、クリップ部７を基部６に対し略直角方向に回動させることにより、上下一対のクリップ片部７ａ，７ａが開き又は閉じるようにして弾性的に係脱する構成とされていることから、その衣服などへの係脱操作が能率的で容易であり、手先の不自由な人でも容易に操作可能である。
【００１３】
また、本考案では、図６の第２の実施の形態に示すように、ループ状掛け紐にネームカードホルダー本体１０２を結合し、該ホルダー本体１０２の一部に、衣服などの一部に係脱自在としたクリップ具１０３を設けた首掛け式ネームカードホルダー１０１において、前記ホルダー本体１０２は、略矩形状をなし、内部が透視し得る偏平で二重の熱可塑性合成樹脂シート材の周縁部を溶着した構造とされ、その溶着周縁部１０２ａの一部に取付紐の類よりなる可撓性のある取付長体１０８を設け、該取付長体１０８の先端部に前記クリップ具１０３を設けたことを特徴としている。
【００１４】
上記構成の首掛け式ネームカードホルダー１０１によれば、クリップ具１０３を係止する衣服などの部分を拡大でき、その係止固定範囲を拡大できる。
【考案の効果】
【００１５】
従って、本考案の首掛け式ネームカードホルダーによれば、使用中、ホルダー本体（名札部）を衣服などの一部に係止させて、ホルダー本体（名札部）が人体に対して揺れたり、ループ状掛け紐（ネックストラップ）が捩れて名前などが判らないという不具合がなく、その使用性及び取り扱いの容易性が向上するという効果がある。
【００１６】
請求項２の考案によれば、クリップ具３を、ホルダー本体２の溶着周縁部２ａの下縁部に略凸状に突出して形成した取付部２ｂに、回動自在に設けたので、クリップ具の操作時にホルダー本体２が邪魔にならず、衣服などへの係止固定操作が容易となる。
【００１７】
請求項３又は４の考案によれば、クリップ具３を構成するクリップ部７を基部６に対し略直角方向に回動させることにより、上下一対のクリップ片部７ａ，７ａが開き又は閉じるようにして弾性的に係脱する構成とされていることから、その衣服などへの係脱操作時には、クリップ具を折り曲げるだけでよく、その操作が能率的で容易であり、手先の不自由な人でも容易に操作可能である。
【００１８】
請求項５によれば、取付紐の類よりなる可撓性のある取付長体の先端にクリップ具が設けられていることから、クリップ具を係止する衣服などの部分を拡大でき、その係止固定範囲を拡大できる。
【考案を実施するための最良の形態】
【００１９】
以下、本考案の最良の実施の形態につき、添付図面を用いて詳細に説明する。
図１乃至図５は、本考案の第１の実施形態に係る首掛け式ネームカードホルダー１を示す。図１は使用状態の正面図、図２は使用状態の要部の拡大正面図、図３は使用状態の要部の拡大斜視図、図４ａ，ｂはクリップ具の操作状態を示す側面図、図５ａ，ｂはクリップ具の分解側面図（ａ）及び分解平面図（ｂ）である。
【００２０】
第１の実施形態に係る首掛け式ネームカードホルダー１は、ループ状掛け紐４（ネックストラップ）に、内部に名札が挿入される透明なネームカードホルダー本体２を結合し、該ホルダー本体２の下縁中央に、衣服などの一部に係脱自在としたクリップ具３を設けている。
【００２１】
掛け紐４の下端には、開閉自在の結合具８が設けられ、結合具８を介してホルダー本体２が、着脱自在に結合される。
【００２２】
ホルダー本体２は、全体として略矩形状をなし、内部が透視し得る偏平で二重の熱可塑性合成樹脂シート材の周縁部を溶着した構造とされ、その溶着周縁部２ａの中央下縁部に略凸状に取付部２ｂを一体に突出して形成している。
【００２３】
取付部２ｂには、バネ弾性により開閉自在の構造のクリップ具３が、取付軸５を介して左右方向に回動自在に設けられている。クリップ具３は、基部６と基部の先端に回動自在に設けたクリップ部７とよりなる。クリップ部７は、互いに開閉する上下一対のクリップ片部７ａ，７ａを有しており、各クリップ片部７ａ，７ａの各後端は、組み付け状態で略クロス状となって後方に一体に連続する中間片部７ｂ，７ｂに連続し、各中間片部７ｂ，７ｂの後端は、上下に略半円形状若しくは略楕円形状に連接された後片部７ｃ，７ｃとされている。上下に連結された各後片部７ｃ，７ｃの後面には、略半円形状の弾性片７ｄが嵌合し、弾性片７ｄにより上下クリップ片部７ａ，７ａ後部の上下後片部７ｃ，７ｃは、上下方向に弾性的に開閉し得るように連接されている。
【００２４】
図５ａ，ｂに示すように、クリップ部７を構成する上クリップ片部７ａは、その後端下方の中間に下方向に一本の中間片部７ｂが突出し、中間片部７ｂの後下端から、中間片部７ｂを延長するように解放部が略上向きＣ状乃至コ形とした後片部７ｃが連続している。また、クリップ部７を構成する下クリップ片部７ａは、その後端上方の左右に上方向に二本の中間片部７ｂが、上記一本の中間片部７ｂを挟むように突出し、二本の中間片部７ｂの後上端から、二本の中間片部７ｂを結合し延長するように解放部が略下向きＣ状乃至コ形とした後片部７ｃが連続している。この上下クリップ片部７ａ，７ａ後部の上下後片部７ｃ，７ｃの上下に対面する面が、上下方向に弾性的に開閉し得るように上記弾性片７ｄを介して連接されている。
【００２５】
上記クリップ具３の基部６は、左右アーム部６ａ間にカム板片部６ｂを架設し、左右アーム部の後部は、取付片部６ｃにより一体に連結されている。基部６のカム板片部６ｂを上記クリップ部７の略ループ状後片部７ｃ内に回動自在に挿入してクリップ部７と基部６を連結する。図４ａに示すように、クリップ部７を基部６に対し直線状とした時には、基部６のカム板片部６ｂがクリップ部７の後片部７ｃを押し広げることにより、クリップ部７を形成する上下一対のクリップ片部７ａが弾性的に閉じるようにされている。また、図４ｂに示すように、クリップ部７を基部６に対し略直角方向に回動させた時には、基部６のカム板片部６ｂがクリップ部７の後片部７ｃを押し広げるということがなく、自然状態に復することにより、クリップ部７を形成する上下一対のクリップ片部７ａが開くようにされている。
【００２６】
クリップ具３は、基部６の取付片部６ｃが、取付軸５を介して、ホルダー本体２の取付部２ｂに回動自在に取り付けられている。取付軸５は、大径頭部を有する金属筒体により形成され、カシメ止めにより取り付けられている。
【００２７】
上記第１の実施形態に係る首掛け式ネームカードホルダー１によれば、図１に示すように首から掛け、クリップ具３の上下クリップ片部７ａ，７ａ間に衣服の縁を挿入して、図４ａに示すように、クリップ具３を構成するクリップ部７と基部６を直線状にすることにより、上下クリップ片部７ａ，７ａが閉じ、ホルダー本体２が揺れたり捩れたりすることなく、固定される。また、図４ｂに示すように、クリップ部７に対し基部６を略直角に折り曲げることにより、上下クリップ片部７ａ，７ａが開き、ホルダー本体２の上記固定が解除される。
【００２８】
図６は、本考案の第２の実施形態に係る首掛け式ネームカードホルダー１０１を示す。図６は使用状態の要部の拡大正面図である。
【００２９】
第２の実施形態に係る首掛け式ネームカードホルダー１０１は、クリップ具１０３を、取付紐やチェンよりなる取付長体１０８を介して、ホルダー本体１０２に連結して設けている。
【００３０】
このような構成とすることにより、クリップ具１０３の衣服などに係止する位置を、ホルダー本体１０２の位置と離れた位置とすることができる。
【図面の簡単な説明】
【００３１】
【図１】本考案の第１の実施形態に係る首掛け式ネームカードホルダーの使用状態の正面図である。
【図２】同使用状態の要部の正面図である。
【図３】同使用状態の要部の斜視図である。
【図４】同クリップ具の操作状態を示す側断面図である。
【図５】同クリップ具の分解側面図（ａ）、分解平面図（ｂ）である。
【図６】本考案の第２の実施形態に係る首掛け式ネームカードホルダーの使用状態の要部の正面図である。
【符号の説明】
【００３２】
１、１０１  ネームカードホルダー
２、１０２  ホルダー本体、２ａ，１０２ａ  周縁部、２ｂ  取付部
３、１０３  クリップ具
４  掛け紐
５  取付軸
６  基部、６ａ  アーム部、６ｂ  カム板片部、６ｃ  取付片部
７  クリップ部、７ａ  クリップ片部、７ｂ  中間片部、７ｃ  後片部、７ｄ  弾性片  ８  結合具
１０８  取付長体
【図１】
0003116524.tif 000003
【図２】
0003116524.tif 000004
【図３】
0003116524.tif 000005
【図４】
0003116524.tif 000006
【図５】
0003116524.tif 000007
【図６】
0003116524.tif 000008